(57)【要約】【課題】本発明は、広角撮影を行うときにも、また望遠撮影を行うときにも、鏡胴内等の反射に起因する有害光を減少させて、フレアなどの発生を防止させる。【解決手段】複数のレンズ群からなる変倍光学系１の入射面前に、第１有害光カット部材３５、第２有害光カット部材３６とを配置し、変倍光学系１を望遠状態にさせて、撮影を行うとき、第１有害光カット部材３５をＣＣＷ方向に３０°回転させるとともに、第２有害光カット部材３６ＣＷ方向に３０°回転させて、入射面前の開口形状を変え、望遠撮影に有害な光束をカットさせる。【選択図】　　　図８
2004117399.tif 000002
【特許請求の範囲】
【請求項１】
複数のレンズ群からなる変倍光学系と、変倍光学系への入射面の前に配置され、変倍に伴い開口形状を変化させる有害光カット手段と、を備えたことを特徴とするカメラ。
【請求項２】
請求項１において、前記変倍光学系を光軸に沿って変位させることにより変倍動作させる変倍動作駆動部材と、変倍動作駆動部材の変倍動作に伴い変位する量を検出する変倍量検出手段と、前記有害光カット手段を電気的に駆動する有害光カット駆動手段と、前記変倍量検出手段からの出力に基づき前記有害光カット駆動手段の有害光カット量を制御する光学系制御手段と、を備えたことを特徴とするカメラ。
【請求項３】
請求項２において、カメラ制御手段とカメラの撮影開始を指示するレリーズ手段を持ちこのレリーズ手段により撮影開始が指示されたとき、カメラ制御手段からの出力に基づき前記光学系制御手段を動作させて、前記変倍量検出手段の出力を読み取らせ、この出力と予め設定された関係とに基づき前記有害光カット駆動手段の変位量を制御させることを特徴とするカメラ。
【請求項４】
請求項３において、前記有害光カット手段は、広角時の開口形状を持つ２枚の有害光カット部材からなり、各有害光カット部材を相異なる方向へ回転させて、望遠時に発生する有害光をカットさせるようにしたことを特徴とするカメラ。
【請求項５】
請求項４において、前記有害光カット駆動手段は、駆動モータと有害光カット駆動伝達手段からなり、前記駆動モータは前記有害光カット手段の駆動と前記変倍光学系内の焦点調節用レンズの駆動との両方の駆動源となっていることを特徴とするカメラ。
【請求項６】
請求項５において、前記有害光カット手段として、前記有害光カット駆動伝達手段の移動量が予め設定された領域Ａに属するとき前記有害光カット駆動伝達手段によって移動した位置を保持する有害光カット保持手段と、前記領域Ａとは別の予め設定された領域Ｂに属するとき前記有害光カット保持手段による保持を解除する有害光カット解除手段とを含むことを特徴とするカメラ。
【請求項７】
請求項６において、前記有害光カット保持手段と前記有害光カット解除手段は、設定された角度範囲の円周上に爪部が設けられた回転自在なリングと、このリングを一回転方向に引張るリングスプリングと、このリングスプリングによって一方向に回転付勢されている前記リングの回転を阻止する回転自在な係止爪と、この係止爪を前記爪部方向に向ける係止爪スプリングとを備え、前記リングが設定角度範囲内にあるとき、前記係止爪によって前記リングの回転を阻止させ、前記リングが前記設定角度範囲以上に回転したとき前記係止爪による回転阻止を解除させることを特徴とするカメラ。
【請求項８】
請求項６に記載のカメラにおいて、前記焦点調節用レンズを作動させる焦点調節用レンズ駆動手段を持ち、前記光学系制御手段によって駆動モータが駆動されて、初期位置（レリーズ手段により撮影開始が指示される前の状態）から予め設定された回転方向に回転させられているとき、前記有害光カット駆動伝達手段が前記領域Ａに入り、この後前記駆動モータが同一方向に回転駆動されたとき前記有害光カット駆動伝達手段が前記領域Ｂに入り、
また、光学系制御手段によって、前記駆動モータが駆動されて、初期位置から前記回転方向と逆方向に回転されているとき、前記焦点調節用レンズ駆動手段によって前記焦点調節用レンズの移動が開始されて初期位置から所定移動量だけ移動させられ、この後前記駆動モータが前記とは更に逆方向に回転駆動されたとき、焦点調節用レンズが初期位置方向に移動することを特徴とするカメラ。
【請求項９】
請求項７において、前記カメラの電源投入時／電源ＯＮ時に、前記光学系制御手段に指示を出して、前記駆動モータを初期リセットさせる初期リセット動作指示手段を持つことを特徴とするカメラ。
【請求項１０】
請求項９において、前記領域Ｂ内に前記駆動モータの回転を阻止する駆動モータストップ部材を持ち、前記初期リセット動作指示手段による初期リセット動作として、前記駆動モータの初期位置から領域Ｂ内の駆動モータストップ部材に到る量だけ、前記駆動モータを予め設定された回転方向に回転させた後、前記駆動モータを予め設定された回転方向に、予め設定された量だけ、回転させるという動作を行わせることを特徴とするカメラ。
【請求項１１】
請求項８において、前記レリーズ手段により撮影開始が指示されたとき、
前記カメラ制御手段は、前記光学系制御手段に指示を出して前記変倍量検出手段の出力を読み取らせ、この出力と予め設定された関係とに基づき前記領域Ａ内の初期位置に対する前記有害光カット駆動手段の変位量／駆動モータの累積回転数を算出させ、
前記カメラの測距手段から算出された値と前記変位量／駆動モータの累積回転数と予め設定された関係とに基づき、前記駆動モータの焦点調節用累積回転数を算出させ、
前記カメラの測距手段から算出された値と初期位置から前記領域Ｂに至るまでの値と予め設定された関係とに基づき、解除累積回転数を算出させ、
前記光学系制御手段から前記駆動モータに予め設定された回転方向（ＣＷ）と前記変位量／駆動モータの累積回転数とを指示させ、
前記駆動モータが停止した後、前記光学系制御手段から前記駆動モータに前記回転方向とは逆になる回転方向と前記焦点調節用累積回転数とを指示させ、
シャッタ動作等カメラの撮影動作完了後、前記光学系制御手段から前記駆動モータに予め設定された回転方向と前記解除累積回転数とを指示させ、
前記駆動モータが停止した後、前記光学系制御手段から前記駆動モータに回転方向と、前記領域Ｂから初期位置までの前記累積回転数を指示させることを特徴とするカメラ。
【請求項１２】
請求項６において、前記焦点調節用レンズを作動させる焦点調節用レンズ駆動手段を持ち、
前記駆動モータが初期位置にあるとき、前記有害光カット駆動伝達手段が前記領域Ｂにあり、
前記光学系制御手段によって、前記駆動モータを駆動されて、予め設定された回転方向に回転させられているとき、前記有害光カット駆動伝達手段が前記領域Ａに入り、この後前記駆動モータが同一方向に回転駆動されたとき、
前記焦点調節用レンズ駆動手段によって、前記焦点調節用レンズが初期位置から移動させられ、所定量だけ移動させられた後、
前記駆動モータが前述とは逆方向に回転させられたとき、焦点調節用レンズが初期位置方向に移動することを特徴とするカメラ。
【請求項１３】
請求項１２に記載のカメラにおいて、
前記カメラの電源投入時／電源ＯＮ時に、前記光学系制御手段に指示を出して、前記駆動モータを初期リセットさせる初期リセット動作指示手段を持つことを特徴とするカメラ。
【請求項１４】
請求項１３に記載のカメラにおいて、
前記領域Ｂ内に前記駆動モータの回転を阻止する駆動モータストップ部材を持ち、前記初期リセット動作指示手段による初期リセット動作として、前記駆動モータの初期位置から領域Ｂ内の駆動モータストップ部材に到る量だけ、前記駆動モータを予め設定された回転方向（ＣＷ）に回転させるという動作を行わせることを特徴とするカメラ。
【請求項１５】
請求項１２において、
前記レリーズ手段により撮影開始が指示されたとき、
前記カメラ制御手段は、前記光学系制御手段に指示を出して、前記変倍量検出手段の出力を読み取らせ、この出力と予め設定された関係とに基づき前記領域Ａ内の設定位置に対する前記有害光カット駆動手段の変位量／駆動モータの累積回転数を算出させ、
前記カメラの測距手段から算出された値と前記変位量／駆動モータの累積回転数と予め設定された関係とに基づき、前記駆動モータの焦点調節用累積回転数を算出させ、
前記カメラの測距手段から算出された値と初期位置から前記領域Ｂに至るまでの値と予め設定された関係とに基づき、解除累積回転数を算出させ、
前記光学系制御手段から前記駆動モータに予め設定された回転方向を指示させるとともに、前記領域Ｂと前記焦点調節用レンズを作動させる領域との間に設定された累積回転数を指示させ、
前記駆動モータが停止した後、前記光学系制御手段から前記駆動モータに予め設定された回転方向と前記変位量／駆動モータの累積回転数を指示させ、
前記駆動モータが停止した後、前記光学系制御手段から前記駆動モータに前記回転方向とは逆の回転方向と前記焦点調節用累積回転数を指示させ、
シャッタ動作等カメラの撮影動作完了後、前記光学系制御手段から前記駆動モータに回転方向と、前記解除累積回転数とを指示させることを特徴とするカメラ。
【発明の詳細な説明】
【０００１】
【発明の属する技術分野】
本発明は、変倍光学系を持つカメラに係わり、特に広角撮影を行うときにも、また望遠撮影を行うときにも、フレアが発生しないようにしたカメラに関する。
【０００２】
【従来の技術】
カメラに取り付けられる変倍光学系として、従来、図１３に示すものが知られている。
この図に示す変倍光学系１００は、６枚のレンズ１０１〜１０６によって構成される６群６枚構成の光学系であり、図１４、図１５に示す如くレンズ１０１〜１０４からなる第１群レンズ１０７と、レンズ１０５と１０６からなる第２群レンズ１０８との間隔を変化させて、倍率を変更させることにより、広角撮影でも、望遠撮影でも行えるようになっている。
そして、このような変倍光学系１００では、広角撮影時、望遠時に、光軸に入射する光線束（中心光束）、３５ｍｍフィルムに対応するアパーチャサイズが２４×３６のとき、短辺（＝２４）に入射する光線束（短辺光束）、アパーチャサイズが２４×３６のとき、長辺（＝３６）に入射する光線束（長辺光束）、アパーチャサイズが２４×３６のとき、対角に入射する光線束（対角光束）など、撮影に必要な光束（以下、これらを必要光束と呼ぶ）の内側に、各レンズ１０１〜１０６を支持する部材、変倍させるための部材などが入らないように、これら各部材を配置しなければならない。
【０００３】
【発明が解決しようとする課題】
ところで、近年、各レンズ１０１〜１０６などを支持している鏡胴などを小型化させて、カメラ全体を小型化させることが多く、鏡胴の先端部分にフードなどを取り付けることが難しい。
このため、変倍光学系１００を望遠にさせて、太陽光などのような強烈な光源側にある被写体を撮影しているとき、これらの強烈な光がファインダ内に入らないようにしているときでも、太陽光がレンズ端面、鏡胴内壁などに反射して、その反射光がフィルムに到達し、フレアが発生してしまうという問題があった。
そこで、このような変倍光学系１００では、図１６に示す如く鏡胴１０９内部のうち、対角光束の外側となる各部分（フレア発生源部分１１０）に凹凸を付けさせるとともに、無反射塗料を塗布させて反射率を低減させることにより、反射光を拡散させる方法、図１７に示す如く望遠撮影時における短辺光束の外側に有害光カットシート１１１を配置させて有害光束をカットさせる方法などで、フレアの発生を防止させている。
しかしながら、これらの各フレア防止方法では、図１７に示す如く短辺光束については、鏡胴１０９内部への入射光、あるいは鏡胴１０９内部からの反射光を有効にカットさせることができるものの、図１６に示す如く望遠撮影時の対角光束については、端面部分１１２で、有害光束を完全に取り除くことが難しく、フレアを完全に防止させることができないという問題があった。
本発明は上記の事情に鑑み、請求項１では、倍率などが変更されたとき、倍率などに対応させて入射開口形状を変更させ、広角撮影を行うときにも、また望遠撮影を行うときにも、鏡胴内等の反射に起因する有害光を減少させて、フレアなどの発生を防止させることができるカメラを提供することを目的としている。
【０００４】
また、請求項２では、倍率などが変更されたとき、倍率などに対応させて入射開口形状を電気的に変更させ、機械的な機構部分を簡素化させながら、広角撮影を行うときにも、また望遠撮影を行うときにも、鏡胴内等の反射に起因する有害光を減少させて、フレアなどの発生を防止させることができるカメラを提供することを目的としている。
また、請求項３では、倍率などが変更されて、レリーズ操作されたとき、倍率などの変更内容に対応させて、入射開口形状を電気的に変更させ、機械的な機構部分を簡素化させながら、広角撮影を行うときにも、また望遠撮影を行うときにも、遅滞なく鏡胴内等の反射に起因する有害光を減少させて、フレアなどの発生を防止させることができるカメラを提供することを目的としている。
また、請求項４では、倍率などが変更されたとき、倍率などに対応させて、２枚の部材を相異なる方向へ回転させることにより、入射開口形状を変更させ、機械的な機構部分を簡素化させながら、広角撮影を行うときにも、また望遠撮影を行うときにも、鏡胴内等の反射に起因する有害光を減少させて、フレアなどの発生を防止させることができるカメラを提供することを目的としている。
また、請求項５では、倍率などが変更されたとき、倍率などに対応させて、焦点調節用レンズの駆動源と同じ駆動源の力で、入射開口形状を変更させ、部品点数を低減させるとともに、機械的な機構部分を簡素化させながら、広角撮影を行うときにも、また望遠撮影を行うときにも、鏡胴内等の反射に起因する有害光を減少させて、フレアなどの発生を防止させることができるカメラを提供することを目的としている。
また、請求項６では、解除用のアクチュエータ等を不要にさせながら、倍率などが変更されたとき、倍率などに対応させて、入射開口形状の変更、保持、解除を行わせ、機械的な機構部分を簡素化させながら、広角撮影を行うときにも、また望遠撮影を行うときにも、鏡胴内等の反射に起因する有害光を減少させて、フレアなどの発生を防止させることができるカメラを提供することを目的としている。
【０００５】
また、請求項７では、倍率などが変更されたとき、倍率が予め設定された倍率範囲内に入っているかどうかに基づき、有害光カット保持機構、有害光カット解除機構を動作させて、入射開口形状の変更、保持、解除を行わせ、機械的な機構部分を簡素化させながら、有害光カット解除操作などの特別な操作を行わせることなく、広角撮影を行うときにも、また望遠撮影を行うときにも、鏡胴内等の反射に起因する有害光を減少させて、フレアなどの発生を防止させることができるカメラを提供することを目的としている。
また、請求項８では、倍率などが変更されたとき、倍率などに対応させて、簡単な制御手順で、焦点調節用レンズの駆動源を動作させて、入射開口形状を変更させ、広角撮影を行うときにも、また望遠撮影を行うときにも、鏡胴内等の反射に起因する有害光を減少させて、フレアなどの発生を防止させることができるカメラを提供することを目的としている。
また、請求項９では、倍率などが変更されたとき、倍率などに対応させて、入射開口形状を変更させ、広角撮影を行うときにも、また望遠撮影を行うときにも、鏡胴内等の反射に起因する有害光を減少させて、フレアなどの発生を防止させることができるとともに、入射開口形状を変更させるとき、何らかの異常が発生しても、正常な状態に復帰させることができるカメラを提供することを目的としている。
また、請求項１０では、倍率などが変更されたとき、倍率などに対応させて、入射開口形状を変更させ、広角撮影を行うときにも、また望遠撮影を行うときにも、鏡胴内等の反射に起因する有害光を減少させて、フレアなどの発生を防止させることができるとともに、入射開口形状を変更させるとき、何らかの異常が発生しても、簡単な制御手順で、正常な状態に復帰させることができるカメラを提供することを目的としている。
【０００６】
また、請求項１１では、撮影開始が指示されたとき、簡単な制御手順で、光学系などの各部を連続的に動作させながら、倍率などに対応させて、入射開口形状を変更させ、広角撮影を行うときにも、また望遠撮影を行うときにも、鏡胴内等の反射に起因する有害光を減少させて、フレアなどの発生を防止させるカメラを提供することを目的としている。
また、請求項１２では、倍率などが変更されたとき、倍率などに対応させて、請求項８の制御手順と異なる簡単な制御手順で、焦点調節用レンズの駆動源を動作させて、入射開口形状を変更させ、広角撮影を行うときにも、また望遠撮影を行うときにも、鏡胴内等の反射に起因する有害光を減少させて、フレアなどの発生を防止させることができるカメラを提供することを目的としている。
また、請求項１３では、電源投入時などに、光学系を初期状態にセットさせた後、倍率などが変更されたとき、倍率などに対応させて、入射開口を変更させ、広角撮影を行うときにも、また望遠撮影を行うときにも、鏡胴内等の反射に起因する有害光を減少させて、フレアなどの発生を防止させるカメラを提供することを目的としている。
また、請求項１４では、電源投入時などに、簡単な制御手順で、光学系を初期状態にセットさせた後、倍率などが変更されたとき、倍率などに対応させて、入射開口を変更させ、広角撮影を行うときにも、また望遠撮影を行うときにも、鏡胴内等の反射に起因する有害光を減少させて、フレアなどの発生を防止させるカメラを提供することを目的としている。
また、請求項１５では、撮影開始が指示されたとき、簡単な制御手順で、光学系などの各部を連続的に動作させながら、倍率などに対応させて、入射開口形状を変更させ、広角撮影を行うときにも、また望遠撮影を行うときにも、鏡胴内等の反射に起因する有害光を減少させて、フレアなどの発生を防止させるカメラを提供することを目的としている。
【０００７】
【課題を解決するための手段】
上記の目的を達成するために本発明は、請求項１のカメラでは、複数のレンズ群からなる変倍光学系と、変倍光学系への入射面の前に配置され、変倍に伴い開口形状を変化させる有害光カット手段とを備えたことを特徴としている。
また、請求項２では、請求項１に記載のカメラにおいて、前記変倍光学系を光軸に沿って変位させる事により、変倍動作させる変倍動作駆動部材と、変倍動作駆動部材の変倍動作に伴い変位する量を検出する変倍量検出手段と、前記有害光カット手段を電気的に駆動する有害光カット駆動手段と、前記変倍量検出手段からの出力に基づき前記有害光カット駆動手段の有害光カット量を制御する光学系制御手段とを備えたことを特徴としている。
また、請求項３では、請求項２に記載のカメラにおいて、カメラ制御手段とカメラの撮影開始を指示するレリーズ手段を持ち、このレリーズ手段により、撮影開始が指示されたとき、カメラ制御手段からの出力に基づき、前記光学系制御手段を動作させて、前記変倍量検出手段の出力を読み取らせ、この出力と、予め設定された関係とに基づき、前記有害光カット駆動手段の変位量を制御させることを特徴としている。
また、請求項４では、請求項３に記載のカメラにおいて、前記有害光カット手段は、広角時の開口形状を持つ２枚の有害光カット部材からなり、これら各有害光カット部材の相異なる方向へ回転させて、望遠時に発生する有害光をカットさせるようにしたことを特徴としている。
また、請求項５では、請求項４に記載のカメラにおいて、前記有害光カット駆動手段は、駆動モータと有害光カット駆動伝達手段からなり、前記駆動モータは前記有害光カット手段の駆動と前記変倍光学系内の焦点調節用レンズの駆動との両方の駆動源となっていることを特徴としている。
【０００８】
また、請求項６では、請求項５に記載のカメラにおいて、前記有害光カット手段として、前記有害光カット駆動伝達手段の移動量が、予め設定された領域Ａに属するとき、前記有害光カット駆動伝達手段によって移動した位置を保持する有害光カット保持手段と、前記領域Ａとは別の予め設定された領域Ｂに属するとき、前記有害光カット保持手段による保持を解除する有害光カット解除手段とを含むことを特徴としている。
また、請求項７では、請求項６に記載のカメラにおいて、前記有害光カット保持手段と前記有害光カット解除手段は、設定された角度範囲の円周上に爪部が設けられた回転自在なリングと、このリングを一回転方向に引張るリングスプリングと、このリングスプリングによって一方向に回転付勢されている前記リングの回転を阻止する回転自在な係止爪と、この係止爪を前記爪部方向に向ける係止爪スプリングとを備え、前記リングが設定角度範囲内にあるとき、前記係止爪によって、前記リングの回転を阻止させ、前記リングが前記設定角度範囲以上に回転したとき、前記係止爪による回転阻止を解除させることを特徴としている。
また、請求項８では、請求項６に記載のカメラにおいて、前記焦点調節用レンズを作動させる焦点調節用レンズ駆動手段を持ち、前記光学系制御手段によって、駆動モータが駆動されて、初期位置（レリーズ手段により撮影開始が指示される前の状態）から、予め設定された回転方向（例えば、ＣＷ）に回転させられているとき、前記有害光カット駆動伝達手段が前記領域Ａに入り、この後前記駆動モータが同一方向に回転駆動されたとき、前記有害光カット駆動伝達手段が前記領域Ｂに入り、また、光学系制御手段によって、前記駆動モータが駆動されて、初期位置から、前記回転方向と逆方向（例えば、ＣＣＷ）に回転されているとき、前記焦点調節用レンズ駆動手段によって、前記焦点調節用レンズの移動が開始されて、初期位置から所定移動量だけ移動させられ、この後前記駆動モータが前述とは逆方向（ＣＷ）に回転駆動されたとき、焦点調節用レンズが初期位置方向に移動することを特徴としている。
また、請求項９では、請求項７に記載のカメラにおいて、前記カメラの電源投入時／電源ＯＮ時に、前記光学系制御手段に指示を出して、前記駆動モータを初期リセットさせる初期リセット動作指示手段を持つことを特徴としている。
【０００９】
また、請求項１０では、請求項９に記載のカメラにおいて、前記領域Ｂ内に前記駆動モータの回転を阻止する駆動モータストップ部材を持ち、前記初期リセット動作指示手段による初期リセット動作として、前記駆動モータの初期位置から領域Ｂ内の駆動モータストップ部材まで到る量だけ、前記駆動モータを予め設定された回転方向（ＣＷ）に回転させた後、前記駆動モータを予め設定された回転方向（ＣＣＷ）に、予め設定された量だけ、回転させるという動作を行わせることを特徴としている。
また、請求項１１では、請求項８に記載のカメラにおいて、前記レリーズ手段により撮影開始が指示されたとき、前記カメラ制御手段は、前記光学系制御手段に指示を出して、前記変倍量検出手段の出力を読み取らせ、この出力と予め設定された関係とに基づき、前記領域Ａ内の初期位置に対する、前記有害光カット駆動手段の変位量／駆動モータの累積回転数を算出させ、前記カメラの測距手段から算出された値と前記変位量／駆動モータの累積回転数と予め設定された関係とに基づき、前記駆動モータの焦点調節用累積回転数を算出させ、前記カメラの測距手段から算出された値と初期位置から前記領域Ｂに至るまでの値と予め設定された関係とに基づき、解除累積回転数を算出させ、前記光学系制御手段から前記駆動モータに予め設定された回転方向（ＣＷ）と前記変位量／駆動モータの累積回転数とを指示させ、前記駆動モータが停止した後、前記光学系制御手段から前記駆動モータに前記回転方向とは逆になる回転方向（ＣＣＷ）と前記焦点調節用累積回転数とを指示させ、シャッタ動作等カメラの撮影動作完了後、前記光学系制御手段から前記駆動モータに予め設定された回転方向（ＣＷ）と前記解除累積回転数とを指示させ、前記駆動モータが停止した後、前記光学系制御手段から前記駆動モータに回転方向（ＣＣＷ）と、前記領域Ｂから初期位置までの前記累積回転数を指示させることを特徴としている。
また、請求項１２では、請求項６に記載のカメラにおいて、前記焦点調節用レンズを作動させる焦点調節用レンズ駆動手段を持ち、前記駆動モータが初期位置（レリーズ手段により撮影開始が指示される前の状態）にあるとき、前記有害光カット駆動伝達手段が前記領域Ｂにあり、前記光学系制御手段によって、前記駆動モータを駆動されて、予め設定された回転方向（ＣＣＷ）に回転させられているとき、前記有害光カット駆動伝達手段が前記領域Ａに入り、この後前記駆動モータが同一方向に回転駆動されたとき、前記焦点調節用レンズ駆動手段によって、前記焦点調節用レンズが初期位置から移動させられ、所定量だけ移動させられた後、前記駆動モータが前述とは逆方向（ＣＷ）に回転させられたとき、焦点調節用レンズが初期位置方向に移動することを特徴としている。
【００１０】
また、請求項１３では、請求項１２に記載のカメラにおいて、前記カメラの電源投入時／電源ＯＮ時に、前記光学系制御手段に指示を出して、前記駆動モータを初期リセットさせる初期リセット動作指示手段を持つことを特徴としている。また、請求項１４では、請求項１３に記載のカメラにおいて、前記領域Ｂ内に前記駆動モータの回転を阻止する駆動モータストップ部材を持ち、前記初期リセット動作指示手段による初期リセット動作として、前記駆動モータの初期位置から領域Ｂ内の駆動モータストップ部材まで到る量だけ、前記駆動モータを予め設定された回転方向（ＣＷ）に回転させるという動作を行わせることを特徴としている。
また、請求項１５では、請求項１２に記載のカメラにおいて、前記レリーズ手段により撮影開始が指示されたとき、前記カメラ制御手段は、前記光学系制御手段に指示を出して、前記変倍量検出手段の出力を読み取らせ、この出力と予め設定された関係とに基づき、前記領域Ａ内の設定位置に対する前記有害光カット駆動手段の変位量／駆動モータの累積回転数を算出させ、前記カメラの測距手段から算出された値と前記変位量／駆動モータの累積回転数と予め設定された関係とに基づき、前記駆動モータの焦点調節用累積回転数を算出させ、前記カメラの測距手段から算出された値と初期位置から前記領域Ｂに至るまでの値と予め設定された関係とに基づき、解除累積回転数を算出させ、前記光学系制御手段から前記駆動モータに予め設定された回転方向（ＣＣＷ）を指示させるとともに、前記領域Ｂと前記焦点調節用レンズを作動させる領域との間に設定された累積回転数を指示させ、前記駆動モータが停止した後、前記光学系制御手段から前記駆動モータに予め設定された回転方向（ＣＷ）と前記変位量／駆動モータの累積回転数を指示させ、前記駆動モータが停止した後、前記光学系制御手段から前記駆動モータに前記回転方向とは逆の回転方向（ＣＣＷ）と前記焦点調節用累積回転数を指示させ、シャッタ動作等カメラの撮影動作完了後、前記光学系制御手段から前記駆動モータに回転方向（ＣＷ）と、前記解除累積回転数とを指示させることを特徴としている。
【００１１】
【発明の実施の形態】
図１、図２は本発明によるカメラの一形態の効果を示す模式図であり、図１には、図１７に示すＡ位置（入射面）における、広角撮影時の必要光束範囲３と、望遠撮影時の必要光束範囲４と、望遠撮影時における有害光カット範囲（斜線部分）２とが示され、図２には図１７のＡ位置における、広角撮影時の必要光束範囲３と、望遠撮影時の必要光束範囲４と、広角撮影時の必要光束の範囲３を時計方向（ＣＷ）、反時計方向（ＣＣＷ）に各々、３０°回転させたものが示されている。
これらのことから明らかなように、広角撮影時の必要光束範囲３から、広角撮影時の必要光束範囲３をＣＷ方向に３０°回転させた範囲と、広角撮影時の必要光束範囲３をＣＣＷに３０°回転させた範囲とを取り除くと、望遠撮影時の対角方向にある有害光をカットすることができる。
以上、説明したように、変倍光学系１の入射面前に、変倍に伴い開口を変化させる有害光カット手段を配置させることにより、望遠撮影時において、主に鏡胴内面で発生するフレアを防止させることができる。
【００１２】
図３は本発明によるカメラの制御構成例を示すブロック図である。
図中の変倍光学系１とは、レンズ６〜９によって構成される第１群レンズ１０と、レンズ１１、１２によって構成される第２レンズ群１３とによって構成される光学系のことをいう。
また、変倍動作駆動部材１４とは、変倍用モータ、ギヤ等の伝達系、および鏡胴などで構成されており、変倍用モータが駆動されたとき、変倍光学系１の光軸方向に沿って、第２レンズ群１３の位置を変化させる部材のことをいう。
また、変倍量検出手段１５とは、上記変倍用モータにより変化した第２レンズ群１３の位置を検出する手段であり、ポテンショメータ、エンコーダ等が使用される。
また、光学系制御手段１６は、上記変倍量検出手段１５からの出力（変倍位置情報）を読み取り、この値と、予め設定された関係量とに基づき、駆動電圧などを発生する手段であり、カメラ等ではカメラ内のＣＰＵ（マイクロコンピュータ）、アクチュエータを駆動制御するＤＲＩＣ（ドライブＩＣ）等から構成される。
また、有害光カット駆動手段１７は、駆動源であるアクチュエータと、その力を伝達する伝達系とから構成されており、駆動源としては、ＤＣモータ、パルスモータが使用される。
また、有害光カット手段１８は変倍光学系１の入射面前に配置された複数の羽根（図８に示す第１有害光カット部材３５、第２有害光カット部材３６）によって構成されている。
【００１３】
図４〜図８（ｃ）は各々、本発明によるカメラで使用される合焦駆動機構１９、有害光カット駆動手段１８部分の機構図である。
図４には、合焦駆動機構１９を構成する各部材のうち、駆動源となるモータ２０と、ギヤ等による減速系２１から駆動リング２２までの構成図とが示されている。ここでは、モータ２０がＣＷ方向に回転した時、駆動リング２２がＣＣＷ方向に回転するものとし、この状態（駆動リング２２上の駆動ピン２３が図の状態）にあるときを初期位置とする。
また、図５は本発明によるカメラで使用される変倍光学系１、合焦駆動機構１９部分の断面図である。
図５中の第１群レンズ１０を構成するフォーカス用レンズ群２４は、フォーカス用のレンズ６、７などと、これらレンズ６、７などを支持するセルからなり、フォーカス用レンズ群案内部材２５により回転を阻止され、光軸方向への直進自在となっている。さらにフォーカス用レンズ群２４の外周にはヘリコイド２６がきられており、フォーカス駆動リング２７の回転により、フォーカス用レンズ群２４が光軸方向に直進する。
また、カメラとしては、図示していない自動合焦装置（ＡＦ）により、被写体までの距離を検出して、フォーカス用レンズ群２４の移動量を算出し、フォーカス用レンズ群２４を移動させ、その後シャッタを切り、シャッタが閉じた後、フォーカス用レンズ群２４を元の位置（初期位置）に戻すようになっている。
【００１４】
また、図６（ａ）、（ｂ）は各々、合焦駆動機構１９の動作例を示す図であり、図６（ａ）は初期位置を示し、図６（ｂ）は焦点合わせ時を示している。
また、図６（ａ）、（ｂ）中の駆動ピン２３は、駆動リング２２上の駆動ピンである。フォーカス駆動リング２７は、フォーカス駆動リングスプリング２８により、ＣＣＷ方向に付勢されており、フォーカス用レンズ群案内部材２５上のストッパ２９により回転を阻止されている。
また、モータ２０がＣＣＷ、駆動リング２２がＣＷ方向に回転すると、駆動ピン２３によりフォーカス駆動リングスプリング２８に抗してフォーカス駆動リング２７がＣＷ方向に回転する。また、フォーカス駆動リング２７の内周面には、ヘリコイド（メス）２６がきられており、フォーカス用レンズ群案内部材２５により回転案内されている。
図６（ｂ）は、前述のフォーカス用レンズ群２４を移動させ、その後シャッタを切っている状態である。
【００１５】
また、図７（ａ）、（ｂ）、（ｃ）は各々、有害光カット駆動手段１７を示し、図７（ａ）は初期位置を示し、また図７（ｂ）は有害光カット手段１７が保持されている状態を示し、また図７（ｃ）は有害光カット手段１７の保持が解除された状態を示している。
図７（ａ）中の駆動ピン２３は駆動リング２２上の駆動ピンである。ギヤ３７が形成されたリング３０はリングスプリング３１により、ＣＷ方向に付勢されており、フォーカス用レンズ群案内部材２５上のストッパ２９により回転が阻止されている。図示したように、リング３０の外周外には、リング３０の外周部に形成された爪部３２と係合するように、係止爪３３が配置されており、係止爪３３には係止爪スプリング３４が掛けられている。
また、係止爪３３は、係止爪スプリング３４により自由状態時に、係止爪３３の爪部が略光軸方向に向くようになっている。モータ２０がＣＷ方向、すなわちフォーカス用レンズ群２４に合焦動作を行わせる方向と逆の方向に回転して、駆動リング２２がＣＣＷ方向に回転すると、駆動ピン２３により、リング３０がリングスプリング３１に抗してＣＣＷ方向に回転する。
そして、リング３０が所定量回転すると、係止爪３３とリング３０の爪部３２の働きにより、図７（ｂ）のような状態（有害光カット手段保持状態）となり、駆動ピン２３がＣＷ方向に回転しても、リング３０が有害光カット手段保持状態に保持される。
この後、図７（ｂ）より、さらに駆動リング２２が回転すると、図７（ｃ）に示した状態となり、有害光カット手段保持状態が解除され、駆動ピン２３がＣＷ方向に回転したとき、リングスプリング３１により、リング３０がＣＷ方向に回転する。
なお、本発明では、係止爪３３と、リング３０の爪部３２との働きにより、図７（ｂ）のような状態（有害光カット手段保持状態）となり、駆動ピン２３がＣＷ方向に回転しても、リング３０が有害光をカットしている状態に保持される領域を領域Ａと呼び、また図７（ｂ）よりさらに駆動リング２２が回転させられて、図７（ｃ）に示した状態となり、有害光カット手段保持の状態が解除される領域を領域Ｂと呼んでいる。
【００１６】
図８（ａ）〜図８（ｃ）は各々、有害光カット手段１８を示し、図８（ａ）は初期位置を示し、また図８（ｂ）は中央部分に広角撮影時の必要光束範囲３に対応する開口が形成された、１枚目の有害光カット部材（第１有害光カット部材）３５がＣＣＷ方向に３０°回転した状態を示し、また図８（ｃ）は中央部分に広角撮影時の必要光束範囲３に対応する開口が形成された、２枚目の有害光カット部材（第２有害光カット部材）３６がＣＷ方向に３０°回転した状態を示している。
また、第１有害光カット部材３５、第２有害光カット部材３６には、図示したように外周に各々、ギヤ３８、３９がきられており、図８（ｂ）に示すように、リング３０がＣＣＷ方向に回転し、リング３０の外周に形成されているギヤ３７によって、第１連結ギヤ４０がＣＷ方向に回転させられたとき、第１連結ギヤ４０と噛合しているギヤ３８がＣＣＷ方向に回転させられて、第１有害光カット部材３５がＣＣＷ方向に回転させられ、図１に示す４つの有害光カット範囲２のうち、対角関係にある２つの有害光カット範囲２を実現する。
また、このとき、図８（ｃ）に示すように、リング３０の外周に形成されているギヤ３７によって、第２連結ギヤ４１がＣＷ方向に回転させられ、この第２連結ギヤ４１に噛合させられている第３連結ギヤ４２がＣＣＷ方向に回転させられる。これにより、第３連結ギヤ４２と噛合しているギヤ３９がＣＷ方向に回転させられて、第２有害光カット部材３６がＣＷ方向に回転させられ、図１に示す４つの有害光カット範囲２のうち、対角関係にある、残り２つの有害光カット範囲２を実現する。
【００１７】
図９は、初期位置として、図７（ａ）、図８（ａ）に示す位置を採用したときのシーケンス図である。
この図に示す如く、まずカメラのシーケンスのスタートは、図示していないレリーズ手段で始まり、測光、ＡＦ等の一連のシーケンス後、図中の下のスタート位置に来る。ここから図の左方にシーケンスが進み（駆動リング２２がＣＣＷ方向に回転）、変倍量検出手段１５からの出力（変倍位置情報）を読み取り、この値をもとに、変倍光学系１が望遠撮影状態にされているとき、有害光カット駆動手段１７を駆動制御し、駆動リング２２を領域Ａ内で停止させる。
この後、図の右方にシーケンスが進み（リング３０は保持状態で駆動リング２２がＣＷ方向に回転）、フォーカス駆動リング２７をＣＷ方向に回転させ、フォーカス用レンズ群２４を図示していない自動合焦装置（ＡＦ）により求まった位置で停止させる。
この状態でシャッタを開閉させ、その後図の左方にシーケンスが進みフォーカス用レンズ群２４を元の位置（初期位置）に戻すようになっている。
さらに、シーケンスは左方に進み、領域Ｂまで進む。ここで、リング３０の保持状態を解除する。その後、図の右方にシーケンスが進み（駆動リング２２がＣＷ方向に回転）、初期位置で停止する。
【００１８】
図１０は、図９に示すシーケンスに対する、リセットシーケンス図である。図９のシーケンスの途中で電源等がなくなった場合等異常が発生した場合のリセット方法である。
一般に、フォーカス用レンズ群２４を目標位置に停止させるために、駆動源として使用されるモータなどとして、パルスモータを使用するか、ＤＣモータを使用して、フォトインタラプタ等で回転数を読み取る方法が採られている。このような場合、固定系に対して絶対位置情報がないために、途中で停止した場合、その検出方法がない。そこで、このようなリセットシーケンスが必要となる。
また、初期位置として、図７（ｃ）に示す有害光カット手段保持解除位置を採用したときには、図９に示すシーケンス図に代えて、図１１に示すシーケンス図を使用する。
この図に示す如く、まずカメラのシーケンスのスタートは図示していないレリーズ手段で始まり、測光、ＡＦ等の一連のシーケンス後、図中の下のスタート位置に来る。ここから図の右方にシーケンスが進み（駆動リング２２がＣＷ方向に回転）、図中の広角撮影とｎｅａｒの間の設定された位置で停止する。その後、図の左方にシーケンスが進み（駆動リング２２がＣＣＷ方向に回転）、変倍量検出手段１５からの出力（変倍位置情報）を読み取り、この値をもとに、変倍光学系１が望遠撮影状態にされているとき、有害光カット駆動手段１７を駆動制御し、駆動リング２２を領域Ａ内で停止させる。
この後、図の右方にシーケンスが進み（リング３０は保持状態で駆動リング２２がＣＷ方向に回転）、フォーカス駆動リング２７をＣＷ方向に回転させ、フォーカス用レンズ群２４を図示していない自動合焦装置（ＡＦ）により求まった位置で停止させる。
この状態で、シャッタを開閉させ、その後図の左方にシーケンスが進み、フォーカス用レンズ群２４を元の位置（初期位置）に戻すようになっている。
さらに、シーケンスは左方に進み、領域Ｂ内に設けられた初期位置で停止する。
図１２は、図１１に示すシーケンスに対する、リセットシーケンス図である。図１１のシーケンスの途中で電源等がなくなった場合等異常が発生した場合のリセット方法である。
言うまでもないが、図９〜図１２のフォーカシングはｎｅａｒ、ｉｎｆ位置は逆でもよい。
【００１９】
【発明の効果】
以上説明したように本発明によれば、請求項１のカメラでは、倍率などが変更されたとき、倍率などに対応させて入射開口形状を変更させ、広角撮影を行うときにも、また望遠撮影を行うときにも、鏡胴内等の反射に起因する有害光を減少させて、フレアなどの発生を防止させることができる。
また、請求項２のカメラでは、倍率などが変更されたとき、倍率などに対応させて入射開口形状を電気的に変更させ、機械的な機構部分を簡素化させながら、広角撮影を行うときにも、また望遠撮影を行うときにも、鏡胴内等の反射に起因する有害光を減少させて、フレアなどの発生を防止させることができる。
また、請求項３のカメラでは、倍率などが変更されて、レリーズ操作されたとき、倍率などの変更内容に対応させて、入射開口形状を電気的に変更させ、機械的な機構部分を簡素化させながら、広角撮影を行うときにも、また望遠撮影を行うときにも、遅滞なく鏡胴内等の反射に起因する有害光を減少させて、フレアなどの発生を防止させることができる。
また、請求項４のカメラでは、倍率などが変更されたとき、倍率などに対応させて、２枚の部材を相異なる方向へ回転させることにより、入射開口形状を変更させ、機械的な機構部分を簡素化させながら、広角撮影を行うときにも、また望遠撮影を行うときにも、鏡胴内等の反射に起因する有害光を減少させて、フレアなどの発生を防止させることができる。
また、請求項５のカメラでは、倍率などが変更されたとき、倍率などに対応させて、焦点調節用レンズの駆動源と同じ駆動源の力で、入射開口形状を変更させ、部品点数を低減させるとともに、機械的な機構部分を簡素化させながら、広角撮影を行うときにも、また望遠撮影を行うときにも、鏡胴内等の反射に起因する有害光を減少させて、フレアなどの発生を防止させることができる。
また、請求項６のカメラでは、解除用のアクチュエータ等を不要にさせながら、倍率などが変更されたとき、倍率などに対応させて、入射開口形状の変更、保持、解除を行わせ、機械的な機構部分を簡素化させながら、広角撮影を行うときにも、また望遠撮影を行うときにも、鏡胴内等の反射に起因する有害光を減少させて、フレアなどの発生を防止させることができる。
【００２０】
また、請求項７のカメラでは、倍率などが変更されたとき、倍率が予め設定された倍率範囲内に入っているかどうかに基づき、有害光カット保持機構、有害光カット解除機構を動作させて、入射開口形状の変更、保持、解除を行わせ、機械的な機構部分を簡素化させながら、有害光カット解除操作などの特別な操作を行わせることなく、広角撮影を行うときにも、また望遠撮影を行うときにも、鏡胴内等の反射に起因する有害光を減少させて、フレアなどの発生を防止させることができる。
また、請求項８のカメラでは、倍率などが変更されたとき、倍率などに対応させて、簡単な制御手順で、焦点調節用レンズの駆動源を動作させて、入射開口形状を変更させ、広角撮影を行うときにも、また望遠撮影を行うときにも、鏡胴内等の反射に起因する有害光を減少させて、フレアなどの発生を防止させることができる。
また、請求項９のカメラでは、倍率などが変更されたとき、倍率などに対応させて、入射開口形状を変更させ、広角撮影を行うときにも、また望遠撮影を行うときにも、鏡胴内等の反射に起因する有害光を減少させて、フレアなどの発生を防止させることができるとともに、入射開口形状を変更させるとき、何らかの異常が発生しても、正常な状態に復帰させることができる。
また、請求項１０のカメラでは、倍率などが変更されたとき、倍率などに対応させて、入射開口形状を変更させ、広角撮影を行うときにも、また望遠撮影を行うときにも、鏡胴内等の反射に起因する有害光を減少させて、フレアなどの発生を防止させることができるとともに、入射開口形状を変更させるとき、何らかの異常が発生しても、簡単な制御手順で、正常な状態に復帰させることができる。また、請求項１１のカメラでは、撮影開始が指示されたとき、簡単な制御手順で、光学系などの各部を連続的に動作させながら、倍率などに対応させて、入射開口形状を変更させ、広角撮影を行うときにも、また望遠撮影を行うときにも、鏡胴内等の反射に起因する有害光を減少させて、フレアなどの発生を防止させる。
【００２１】
また、請求項１２のカメラでは、倍率などが変更されたとき、倍率などに対応させて、請求項８の制御手順と異なる簡単な制御手順で、焦点調節用レンズの駆動源を動作させて、入射開口形状を変更させ、広角撮影を行うときにも、また望遠撮影を行うときにも、鏡胴内等の反射に起因する有害光を減少させて、フレアなどの発生を防止させることができる。
また、請求項１３のカメラでは、電源投入時などに、光学系を初期状態にセットさせた後、倍率などが変更されたとき、倍率などに対応させて、入射開口を変更させ、広角撮影を行うときにも、また望遠撮影を行うときにも、鏡胴内等の反射に起因する有害光を減少させて、フレアなどの発生を防止させる。
また、請求項１４のカメラでは、電源投入時などに、簡単な制御手順で、光学系を初期状態にセットさせた後、倍率などが変更されたとき、倍率などに対応させて、入射開口を変更させ、広角撮影を行うときにも、また望遠撮影を行うときにも、鏡胴内等の反射に起因する有害光を減少させて、フレアなどの発生を防止させる。
また、請求項１５のカメラでは、撮影開始が指示されたとき、簡単な制御手順で、光学系などの各部を連続的に動作させながら、倍率などに対応させて、入射開口形状を変更させ、広角撮影を行うときにも、また望遠撮影を行うときにも、鏡胴内等の反射に起因する有害光を減少させて、フレアなどの発生を防止させる。
【図面の簡単な説明】
【図１】本発明によるカメラの一形態の効果を示す模式図である。
【図２】本発明によるカメラの一形態の効果を示す模式図である。
【図３】本発明によるカメラの制御構成例を示すブロック図である。
【図４】本発明によるカメラで使用される合焦駆動機構、有害光カット駆動手段部分の機構図である。
【図５】本発明によるカメラで使用される変倍光学系、合焦駆動機構部分の断面図である。
【図６】本発明によるカメラで使用される合焦駆動機構の動作例を示す模式図である。
【図７】本発明によるカメラで使用される有害光カット駆動手段の動作例を示す模式図である。
【図８】本発明によるカメラで使用される有害光カット手段の動作例を示す模式図である。
【図９】本発明によるカメラで使用されるシーケンス例を示す図である。
【図１０】図９に示すシーケンスに対するリセットシーケンスを示す図である。
【図１１】本発明によるカメラで使用される他のシーケンス例を示す図である。
【図１２】図１１に示すシーケンスに対するリセットシーケンスを示す図である。
【図１３】一般的に変倍光学系の一例を示す概略構成図である。
【図１４】図１３に示す変倍光学系の各光束例を示す模式図である。
【図１５】図１３に示す変倍光学系の各光束例を示す模式図である。
【図１６】図１３に示す変倍光学係を使用したカメラで採用されるフレア防止方法の一例を示す要部断面図である。
【図１７】図１３に示す変倍光学係を使用したカメラで採用されるフレア防止方法の他の一例を示す要部断面図である。
【符号の説明】
１：変倍光学系、２：望遠撮影時における有害光カット範囲、３：広角撮影時の必要光束範囲、４：望遠撮影時の必要光束範囲、６：レンズ、７：レンズ、８：レンズ、９：レンズ、１０：第１群レンズ、１１：レンズ、１２：レンズ、１３：第２レンズ群、１４：変倍動作駆動部材、１５：変倍量検出手段、１６：光学系制御手段、１７：有害光カット駆動手段、１８：有害光カット手段、１９：合焦駆動機構、２０：モータ、２１：減速系、２２：駆動リング、２３：駆動ピン、２４：フォーカス用レンズ群、２５：フォーカス用レンズ群案内部材、２６：ヘリコイド、２７：フォーカス駆動リング、２８：フォーカス駆動リングスプリング、２９：ストッパ、３０：リング、３１：リングスプリング、３２：爪部、３３：係止爪、３４：係止爪スプリング、３５：第１有害光カット部材、３６：第２有害光カット部材、３７：ギヤ、３８：ギヤ、３９：ギヤ、４０：第１連結ギヤ、４１：第２連結ギヤ、４２：第３連結ギヤ
【図１】
2004117399.tif 000003
【図２】
2004117399.tif 000004
【図３】
2004117399.tif 000005
【図４】
2004117399.tif 000006
【図５】
2004117399.tif 000007
【図６】
2004117399.tif 000008
【図７】
2004117399.tif 000009
【図８】
2004117399.tif 000010
【図９】
2004117399.tif 000011
【図１０】
2004117399.tif 000012
【図１１】
2004117399.tif 000013
【図１２】
2004117399.tif 000014
【図１３】
2004117399.tif 000015
【図１４】
2004117399.tif 000016
【図１５】
2004117399.tif 000017
【図１６】
2004117399.tif 000018
【図１７】
2004117399.tif 000019